(57)【要約】【課題】雌ネジに対する円滑で正確な捩じ込みを確保することができる雄ネジおよび雄ネジ装着製品を提供する。【解決手段】雄ネジ１００は、雌ネジ９０に螺合する雄ネジ部１０２の前側に先行突起体１０４を備えている。先行突起体１０４は、軸体１０１の外表面上における前記雄ネジ部１０２の捩じ込み方向前側への延長線上であって雄ネジ部１０２の先端部１０２ａに隣接する位置に部分的に突出して形成されている。また、雄ネジ１００は、雄ネジ部１０２の一部に低高ネジ部１０３が形成されている。低高ネジ部１０３は、軸体１０１上において先行突起体１０４とは反対側に形成された雄ネジ部１０２のうちの最初に雌ネジ９０内に進入するネジ山の高さを雄ネジ部１０２の正規のネジ山の高さＲＴよりも低く形成して構成されている。この場合、低高ネジ部１０３の最低点ＵＰの前後には、徐変部１０３ａ，１０３ｂが形成されている。【選択図】  図１
2018096536.tif 000002
【特許請求の範囲】
【請求項１】
筒体の内周面に形成された雌ネジ部にネジ嵌合する雄ネジ部が軸体の外表面に形成された雄ネジにおいて、
前記雄ネジ部の延長線上における同雄ネジ部の先端部に隣接する位置に部分的に突出して形成されて前記雌ネジ部に嵌合する先行突起体と、
前記雄ネジ部における前記先端部とは反対側で最も前側のネジ山の高さが前記雄ネジ部の正規のネジ山の高さ未満に形成された低高ネジ部とを備え、
前記先行突起体は、
前記雄ネジ部におけるネジ山の正規の高さの半分以上かつ同正規の高さ以下の高さに形成されており、
前記雄ネジ部の先端部は、
ネジ山の前記正規の高さに形成されていることを特徴とする雄ネジ。
【請求項２】
請求項１に記載した雄ネジにおいて、
前記軸体は、
前記先行突起体よりも前方側に延びた案内部を有することを特徴とする雄ネジ。
【請求項３】
請求項２に記載した雄ネジにおいて、
前記案内部は、
前記軸体の外径よりも太い外径の拡径案内部を有することを特徴とする雄ネジ。
【請求項４】
請求項１ないし請求項３のうちのいずれか１つに記載した雄ネジにおいて、
前記先行突起体は、
前記軸体の外周面上に同外周面の周長の１／４以下の長さの範囲で前記雄ネジ部に沿って形成されていることを特徴とする雄ネジ。
【請求項５】
請求項１ないし請求項４のうちのいずれか１つに記載した雄ネジにおいて、
前記雄ネジ部および前記先行突起体は、
各先端部がそれぞれ面取りされていることを特徴とする雄ネジ。
【請求項６】
請求項１ないし請求項５のうちのいずれか１つに記載した雄ネジにおいて、
前記低高ネジ部は、
同低高ネジ部における前記雄ネジ部の捩じ込み方向の前側および後側の各前記雄ネジ部に対して徐々に高さが低くなる徐変部を有していることを特徴とする雄ネジ。
【請求項７】
部品の表層に請求項１ないし請求項６のうちのいずれか１つに記載した雄ネジが取り付けられていること特徴とする雄ネジ装着製品。
【発明の詳細な説明】
【技術分野】
【０００１】
本発明は、ビスおよびボルトなどの雄ネジおよび同雄ネジが装着された雄ネジ装着製品に関する。
【背景技術】
【０００２】
従来から、雌ネジにネジ嵌合する雄ネジにおいては、雌ネジに対して円滑で正確な捩じ込みが阻害される嵌合不良を防止するための雄ネジが各種提案されている。例えば、下記特許文献１には、雄ねじ部の前側の延長線上に部分的に突出した螺合ガイド突起を形成することにより、雄ねじの軸方向の位置を一義的に規定することで嵌合不良を防止する雄ねじ部材が開示されている。
【先行技術文献】
【特許文献】
【０００３】
【特許文献１】特開２０００−１２０６４０号公報
【０００４】
しかしながら、上記特許文献１に示された雄ねじ部材においては、雄ねじの先端部に正規の雄ねじのネジ山の高さに満たないネジ山からなる所謂不完全ネジ部が形成されているため、雄ネジを捩じ込む際に嵌合不良が生じるという問題がある。すなわち、従来の雄ねじ部材においては、雄ねじ部材を雌ねじ部内に捩じ込む初期段階において雄ねじ部材が傾斜し易いとともにこの雄ねじ部材が傾斜した際に雄ねじと雌ねじの各不完全ネジ部を含む互いのネジ山における異なる２つの位置で同時に接触し合うとともに、両者が更に締め合わされることで互いに強く押し合って動かなくなり円滑で正確な捩じ込みが阻害されるという問題がある。
【０００５】
本発明は上記問題に対処するためなされたもので、その目的は、雌ネジに対する円滑で正確な捩じ込みを確保することができる雄ネジおよび雄ネジ装着製品を提供することにある。
【発明の概要】
【０００６】
上記目的を達成するため、本発明の特徴は、筒体の内周面に形成された雌ネジ部にネジ嵌合する雄ネジ部が軸体の外表面に形成された雄ネジにおいて、雄ネジ部の延長線上における同雄ネジ部の先端部に隣接する位置に部分的に突出して形成されて雌ネジ部に嵌合する先行突起体と、雄ネジ部における先端部とは反対側で最も前側のネジ山の高さが雄ネジ部の正規のネジ山の高さ未満に形成された低高ネジ部とを備え、先行突起体は、雄ネジ部におけるネジ山の正規の高さの半分以上かつ同正規の高さ以下の高さに形成されており、雄ネジ部の先端部は、ネジ山の前記正規の高さに形成されていることにある。
【０００７】
このように構成した本発明の特徴によれば、雄ネジは、雌ネジに対して先行突起体が先行してネジ嵌合（以降、「螺合」ともいう）して１回転するまでの間は雄ネジ部が雌ネジ部に嵌合することがないとともに雄ネジ部の先端部のネジ山の高さが当初から正規の高さに形成されているため、雄ネジが傾斜した状態で雄ネジ部が雌ネジ部に螺合し始めることが防止される。また、本発明に係る雄ネジは、雄ネジ部における先行突起体の反対側の最初（最前列）のネジ山が正規の高さよりも低く形成されているため、雄ネジ部が雌ネジ部に螺合してから１回転する間において雌ネジ部のネジ山と互いに異なる２点で接触し合うことが防止される。これらの結果、本発明に係る雄ネジにおいては、雌ネジに対する円滑で正確な捩じ込みを確保することができる。
【０００８】
また、本発明の他の特徴は、前記雄ネジにおいて、軸体は、先行突起体よりも前方側に延びた案内部を有することにある。
【０００９】
このように構成した本発明の他の特徴によれば、雄ネジは、先行突起体よりも前方側に案内部を有して雌ネジ部内に先行して挿入されるため、先行突起体および雄ネジ部がそれぞれ雌ネジ部内に嵌合する際における雄ネジの傾斜を防止して先行突起体および雄ネジ部を円滑に雌ネジ部に嵌合させることができる。
【００１０】
また、本発明の他の特徴は、前記雄ネジにおいて、案内部は、軸体の外径よりも太い外径の拡径案内部を有することにある。
【００１１】
このように構成した本発明の他の特徴によれば、雄ネジは、雄ネジ部を雌ネジ部に対して小径に形成して雄ネジ部を雌ネジ部内に入り易く形成した場合であっても拡径案内部が雌ネジ部に接触して案内されることで雄ネジを傾斜させることなく円滑に雌ネジ部に嵌合させることができるとともに、雄ネジを使用する製品の使用上雌ネジとの間のネジのはめあい公差が緩い、すなわち、はめあい公差が大きい場合であっても、同様に雄ネジを傾斜させることなく円滑に雌ネジ部に嵌合させることができる。
【００１２】
また、本発明の他の特徴は、前記雄ネジにおいて、先行突起体は、軸体の外周面上に同外周面の周長の１／４以下の長さの範囲で雄ネジ部に沿って形成されていることにある。この場合、先行突起体は、頂上部をこの頂上部に隣接する雄ネジ部に沿って線状または面状に延びて形成することができるとともに、同頂上部を尖らして形成して先行突起体全体を三角錐状または四角錐状に形成することもできる。
【００１３】
このように構成した本発明の他の特徴によれば、雄ネジは、先行突起体が軸体の外周面上に同外周面の周長の１／４以下の長さの範囲で形成されているため、雄ネジの軸方向の位置を規制しつつ雄ネジの若干の傾斜を許容することで先行突起体を容易かつ迅速に雌ネジ部内を進行させることができる。
【００１４】
また、本発明の他の特徴は、前記雄ネジにおいて、雄ネジ部および先行突起体は、各先端部がそれぞれ面取りされていることにある。この場合、面取りは、雄ネジ部および先行突起体の各先端部が捩じ込み方向に沿って徐々に立ち上るように平面状または曲面状に形成した傾斜面であり、軸体の外周面上に同外周面の周長の１／８以下の長さの範囲で形成するとよい。
【００１５】
このように構成した本発明の他の特徴によれば、雄ネジは、雄ネジ部および先行突起体の各先端部の端面がそれぞれ面取りされているため、雌ネジ部の溝内に対して挿し込み易くすることができる。
【００１６】
また、本発明の他の特徴は、前記雄ネジにおいて、低高ネジ部は、低高ネジ部は、同低高ネジ部における雄ネジ部の捩じ込み方向の前側および後側の各雄ネジ部に対して徐々に高さが低くなる徐変部を有していることにある。
【００１７】
このように構成した本発明の他の特徴によれば、雄ネジは、低高ネジ部が同低高ネジ部の前側および後側の各雄ネジ部に対して徐々に高さが低く徐変部を有しているため、雄ネジ部のネジ山の雌ネジ部のネジ山への接触を防止しながら雄ネジ部を容易かつ迅速に雌ネジ部内で進行させることができる。
【００１８】
また、本発明は雄ネジの発明として実施できるばかりでなく、この雄ねじを装着した雄ネジ装着製品の発明としても実施できるものである。
【００１９】
具体的には、雄ネジ装着製品は、部品の表層に請求項１ないし請求項５のうちのいずれか１つに記載した雄ネジが取り付けるようにすればよい。この場合、雄ネジ装着製品は、製品自身に形成された雌ネジまたは製品に取り付けられたナットに対して雄ネジが螺合して取り付けられており、具体的には、例えば、エンジン、トランスミッション、シートまたは車体などの自動車部品、各種電化製品、および机、椅子または棚などの家具などがある。これによれば、雄ネジ装着製品は、前記雄ネジと同様の効果が期待できる。
【図面の簡単な説明】
【００２０】
【図１】本発明の一実施形態に係る雄ネジの外観構成を概略的に示す斜視図である。
【図２】図１に示した雄ネジの主要部の構成を雌ネジの断面とともに示す部分拡大図である。
【図３】図１に示した雄ネジにおける低高ネジ部および先行突起体の形状および関係を説明するために雄ネジ部の先端側の１周分と先行突起体のみを抽出した部分平面図および部分正面図である。
【図４】図２に示した雄ネジにおける案内部を雌ネジ部内に挿入した状態を示す部分拡大図である。
【図５】図２に示した雄ネジにおける雄ネジ部の先端部を雌ネジ部内に挿入した状態を示す部分拡大図である。
【図６】図５に示した雄ネジを半回転させて雄ネジ部を更に雌ネジ部内に挿入した状態を示す部分拡大図である。
【図７】図６に示した雄ネジが先行突起体側に傾斜した状態を示す部分拡大図である。
【図８】図６に示した雄ネジが先行突起体側とは反対側に傾斜した状態を示す部分拡大図である。
【図９】図５に示した雄ネジを２回転させて雄ネジ部を更に雌ネジ部内に挿入した状態を示す部分拡大図である。
【図１０】本発明の他の実施形態に係る雄ネジの外観構成を概略的に示す斜視図である。
【図１１】本発明の更に他の実施形態に係る雄ネジの外観構成を概略的に示す斜視図である。
【図１２】本発明の更に他の実施形態に係る雄ネジの外観構成を概略的に示す斜視図である。
【図１３】本発明の更に他の実施形態に係る雄ネジの外観構成を概略的に示す斜視図である。
【図１４】本発明の更に他の実施形態に係る雄ネジの外観構成を概略的に示す斜視図である。
【発明を実施するための形態】
【００２１】
以下、本発明に係る雄ネジおよび雄ネジ装着製品の一実施形態について図面を参照しながら説明する。図１は、本発明に係る雄ネジ１００の外観構成を概略的に示す斜視図である。また、図２は、図１に示した雄ネジ１００の主要部の構成を雌ネジ９０の断面とともに示す部分拡大図である。なお、本明細書において参照する各図は、本発明の理解を容易にするために一部の構成要素を誇張して表わすなど模式的に表していることがあるため、各構成要素間の寸法や比率などは異なっていることがある。
【００２２】
この雄ネジ１００は、例えば、自走式車両のエンジンにおける吸気系を構成するインテークマニホールドなどの樹脂製部品（図示せず）にスロットルボディなど他の部品に取り付けるための機械要素である。この場合、インテークマニホールドなどの他の物品の表層には、雌ネジ９０が直接形成または雌ネジ９０が形成された筒状のナットが埋設された状態で設けられている。そして、雄ネジ１００によってスロットルボディなどの他の物品が取り付けられたインテークマニホールドなどの樹脂製部品、さらには、このインテークマニホールドなどの樹脂製部品が取り付けられたエンジンが雄ネジ装着製品（図示せず）に相当する。
【００２３】
また、雌ネジ９０は、有底または貫通の筒状部の内周面に雄ネジ１００がネジ嵌合する螺旋状の突起および溝からなる雌ネジ部９１が形成されて構成されているものであり、従来から一般的に用いられているものである。この場合、雌ネジ部９１には、雄ネジ１００が捩じ込まれる側の開口部分に正規の雌ネジ部のネジ山の高さに満たないネジ山からなる不完全ネジ部９２が形成されている。
【００２４】
ここで、雄ネジおよび雌ネジにおける不完全ネジ部とは、一般に、雄ネジ部（または雌ネジ部）の先端部から雄ネジ部（または雌ネジ部）が形成される軸体（または筒体）の周長の１／４の長さ以上かつ雄ネジ部（または雌ネジ部）の２ピッチ分以下の範囲で形成されるネジ山の高さが不足した不完全なネジ山である。また、雄ネジおよび雌ネジの正規のネジ山の高さとは、雄ネジ（または雌ネジ）がネジとしての機能を発揮する程度に雌ネジ（または雄ネジ）にネジ嵌合するために必要な高さであり、ＪＩＳ規格で定められたメートルネジ、ユニファイネジおよびウィットネジの各ネジ山の高さのほか、用途に応じて専用的に規定された規格外のネジ山の高さも含まれる。
【００２５】
（雄ネジ１００の構成）
雄ネジ１００は、軸体１０１を備えている。軸体１０１は、雄ネジ部１０２、先行突起体１０４および案内部１０５がそれぞれ形成される部分であり、金属材料（例えば、炭素鋼）を丸棒状に形成して構成されている。より具体的には、軸体１０１は、軸線方向中央部に雄ネジ部１０２が形成されており、この雄ネジ部１０２の捩じ込み方向の前方側に先行突起体１０４および案内部１０５がそれぞれ形成されている。また、軸体１０１は、前記前方側とは反対側の後方側に首下部１０６を介して頭部１０７が設けられている。すなわち、軸体１０１には、図示下方の先端部から順に案内部１０５、先行突起体１０４、雄ネジ部１０２、首下部１０６および頭部１０７がそれぞれ形成されている。
【００２６】
雄ネジ部１０２は、雌ネジ部９１にネジ嵌合する部分であり、軸体１０１の外表面に螺旋状の延びる突起および溝で構成されている。この雄ネジ部１０２は、雌ネジ部９１内に最初に嵌合する先端部１０２ａが面取りされており、先端面は雄ネジ部１０２の捩じ込み方向（「進行方向」ともいう）の後方に向かって傾斜する傾斜面で構成されている。すなわち、雄ネジ部１０２は、先端部１０２ａに正規の雄ネジのネジ山の高さに満たない所謂不完全ネジ部が形成されていない点を除けば従来の雄ネジ形状と同じである。
【００２７】
この雄ネジ部１０２には、低高ネジ部１０３が形成されている。低高ネジ部１０３は、雄ネジ部１０２を雌ネジ部９１内にネジ嵌合させていく初期段階において雄ネジ部１０２のネジ山と雌ネジ部９１のネジ山との接触を防止するための部分である。具体的には、低高ネジ部１０３は、図３に示すように、軸体１０１上において先行突起体１０４とは反対側に形成された雄ネジ部１０２のうちの最初に雌ネジ９０内に進入するネジ山（換言すれば、最も前側のネジ山）の高さを雄ネジ部１０２の正規のネジ山（図３において二点鎖線で示す）の高さＲＴよりも低く形成して構成されている。
【００２８】
この場合、低高ネジ部１０３は、軸体１０１上において先行突起体１０４の先端部に対して正反対の位置（換言すれば、１８０°の位置）上の高さｈが最も低い最低点ＵＰとなっており、この最低点ＵＰに対して雄ネジ部１０２の進行方向の前方および後方（換言すれば、最低点ＵＰに対して雄ネジ部１０２の形成方向の両側）に向かって高さがそれぞれ高くなる徐変部１０３ａ，１０３ｂが形成されて構成されている。
【００２９】
この低高ネジ部１０３の高さｈは、雄ネジ部１０２のネジ山の正規の高さＲＴ未満の高さであればよいが、この正規の高さＲＴの１／２以上かつ同正規の高さＲＴ未満の高さに形成されているとよい。また、低高ネジ部１０３の形成位置は、軸体１０１上における先行突起体１０４の位置の０°としたとき、この位置（０°）から少なくとも９０°以上かつ２７０°以下の範囲内に最低点ＵＰが位置するように形成するとよいが、より好適には最低点ＵＰが１８０°の位置に位置するように形成するとよい。
【００３０】
また、低高ネジ部１０３の形成範囲は、軸体１０１上における先行突起体１０４の位置の０°としたとき、この位置（０°）から少なくとも１３５°以上かつ２２５°以下の範囲を含んで軸体１０１の周長の１／３の長さ以上の長さに形成されるとよい。本実施形態においては、低高ネジ部１０３は、最低点ＵＰで雄ネジ部１０２のネジ山の正規の高さＲＴの２／３の高さに形成されるとともに、この最低点ＵＰを中心として前記０°から３６０°の範囲で徐々に高さが高くなる徐変部１０３ａ，１０３ｂがそれぞれ形成されている。すなわち、低高ネジ部１０３は、本実施形態においては、雄ネジ部１０２の先端部１０２ａの直後から徐変部１０３ａによってネジ山の高さが連続的に低くなり、前記１８０°の位置で最低点ＵＰを形成した後、先端部１０２ａから一周した位置に向かって徐変部１０３ｂによってネジ山の高さが連続的に高くなるように形成されている。
【００３１】
先行突起体１０４は、雄ネジ部１０２に先行して雌ネジ部９１にネジ嵌合する部分であり、軸体１０１の外表面から凸状に突出して形成されている。具体的には、先行突起体１０４は、軸体１０１の外表面上における前記雄ネジ部１０２の捩じ込み方向前側への延長線上であって雄ネジ部１０２の先端部１０２ａに隣接する位置に部分的に突出して形成されている。
【００３２】
この場合、雄ネジ部１０２の先端部１０２ａに隣接する位置とは、雄ネジ部１０２の先端部１０２ａに対して雄ネジ部１０２の１ピッチ部分だけ軸体１０１の先端側にずれた位置およびその周辺であり、より具体的には、雄ネジ部１０２の先端部１０２ａに対して真横の位置、同真横の位置に対して捩じ込み方向の前側および後側の各位置である。また、先端部１０２ａは、雄ネジ部１０２の最先端部のみを意味するものではなく、最先端部以降の部分を含む領域、より具体的には、最先端部を始点として少なくとも軸体１０１の周長の１／８の長さの範囲の部分である。
【００３３】
そして、この先行突起体１０４の高さは、雄ネジ部１０２のネジ山の正規の高さＲＴの１／２以上かつこの正規の高さＲＴ以下の高さに形成されている。また、先行突起体１０４の長さは、軸体１０１の外表面の周長の１／３以下の長さに形成されるとよいが、より好適には１／４以下の長さに形成されるとよい。
【００３４】
本実施形態においては、先行突起体１０４は、軸体１０１の外表面上における雄ネジ部１０２の捩じ込み方向前側への延長線上であって雄ネジ部１０２の先端部１０２ａに隣接する位置から雄ネジ部１０２に沿って延びる側面視で台形状に形成されている。この場合、先行突起体１０４は、雄ネジ部１０２のネジ山の正規の高さＲＴと同じ高さに形成されるとともに、軸体１０１の周長の１／５の長さに形成されている。また、先行突起体１０４は、雄ネジ部１０２の捩じ込み方向前側の先端部１０４ａおよび後側の後端部１０４ｂがそれぞれ面取りされており、それぞれの先端面および後端面は雄ネジ部１０２の先端部１０２ａにおける先端面と同じ傾斜角の傾斜面でそれぞれ構成されている。
【００３５】
案内部１０５は、軸体１０１において最初に雌ネジ部９１内に挿入されて雌ネジ部９１に対して雄ネジ１００の傾斜を規制するための部分であり、先行突起体１０４の前方に丸棒状に突出して形成されている。この場合、案内部１０５は、雌ネジ部９１の内径よりも若干小径に形成されるとともに先端部が丸みを持って形成されている。また、案内部１０５の軸線方向における長さは、特に限定されないが、雄ネジ部１０２の１ピッチ以上かつ５ピッチ以内の長さに形成されているとよい。なお、案内部１０５における先端部は、外縁部が円弧状に丸みを帯びて形成されているが、これに代えて外縁部が直角に形成されていてもよいし、案内部１０５の外径が先端部に向かって縮小する尖った形状に形成されていてもよい。
【００３６】
首下部１０６は、軸体１０１において雄ネジ部１０２が形成されていない丸棒状の部分であり、雄ネジ部１０２と頭部１０７との間に形成されている。頭部１０７は、軸体１０１に回転力を与えるための工具が着脱自在に嵌合される部分である。本実施形態においては、頭部１０７は、軸体１０１の後端部にフランジ状に広がった後、軸体１０１の軸線方向に六角柱状に延びて形成されている。
【００３７】
すなわち、雄ネジ１００は、本実施形態においては、所謂フランジ付き六角ボルトで構成されている。この雄ネジ１００は、棒状または線状の金属材料に対して機械加工（例えば、鍛造加工、転造加工または切削加工）を行うことによって成形されて製造される。
【００３８】
（雄ネジ１００の作動）
次に、このように構成された雄ネジ１００の作動について説明する。まず、作業者は、雄ネジ１００およびこの雄ネジ１００が締め付けられる雌ネジ９０を備えた物品（図示せず）をそれぞれ用意する。なお、本作動説明においては、雄ネジ１００と雌ネジ９０との間に配置されて雄ネジ１００が雌ネジ９０に締め付けられることによって取り付けられる物品（例えば、前記インテークマニホールドなど）は省略して説明する。
【００３９】
次に、作業者は、雄ネジ１００を雌ネジ９０に締め付ける。具体的には、作業者は、図４に示すように、雄ネジ１００の案内部１０５を雌ネジ９０内に挿し込んで軸体１０１の周方向に回転（例えば、時計回り）させる。これにより、雄ネジ１００は、先行突起体１０４が雌ネジ部９１における不完全ネジ部９２に嵌合を開始する。この場合、雄ネジ１００は、案内部１０５によって雌ネジ９０に対して大きく傾斜することが防止されるため、先行突起体１０４は円滑に雌ネジ部９１内に嵌合する。
【００４０】
なお、雄ネジ１００は、案内部１０５は雌ネジ９０の内径よりも小径であるとともに雌ネジ部９１に不完全ネジ部９２が形成されているため傾斜することを完全に防止することができず雌ネジ９０内への挿入の際に傾斜することがある。しかし、雄ネジ１００は、先行突起体１０４が雄ネジ部１０２の正規の高さＲＴと同じ高さに形成されているため、傾斜角が大きな場合には先行突起体１０４が雌ネジ部９１（不完全ネジ部９２）に嵌合することなく空回りとなって嵌合不良を未然に防ぐことができる。また、雄ネジ１００を回転させる作業は、作業者の手で直接回してもよいし、六角レンチなどの工具を使って回してもよい
【００４１】
次いで、作業者は、先行突起体１０４が雌ネジ９０の不完全ネジ部９２に嵌合した場合には、更に雄ネジ１００を回転させる。これにより、雄ネジ１００は、図５に示すように、先行突起体１０４が雌ネジ９０の不完全ネジ部９２に嵌合してから１回転すると同時に雄ネジ部１０２の先端部１０２ａが不完全ネジ部９２に嵌合を開始する。この場合においても、雄ネジ１００は、案内部１０５によって雌ネジ９０に対して大きく傾斜することが防止されることに加えて、先行突起体１０４が雌ネジ部９１の完全ネジ部に嵌合し始めることによって更に傾斜の許容量が減少するため、雄ネジ部１０２は円滑に雌ネジ部９１内に嵌合する。なお、この場合、この場合、雄ネジ部１０２は、先行突起体１０４が雄ネジ部１０２の完全ネジ部に嵌合し始めることによって軸体１０１の軸線方向への位置ずれも規制されるものである。
【００４２】
そして、雄ネジ１００は、雄ネジ部１０２が雌ネジ９０の不完全ネジ部９２に嵌合してから半回転した場合には、図６に示すように、低高ネジ部１０３が不完全ネジ部９２に位置するようになる。この場合、雄ネジ部１０２は、低高ネジ部１０３のネジ山の高さｈが正規のネジ山の高さＲＴよりも低く形成されている。このため、雄ネジ１００は、図７および図８にそれぞれ示すように、雌ネジ９０に対して傾斜した場合であっても低高ネジ部１０３のネジ山の周面と雌ネジ部９１のネジ山の周面とが互いに異なる２つの位置で同時に接触し合って更に締め合わされることで両者が強く押し合って動かなくなることが防止される。
【００４３】
そして、更に、雄ネジ１００は、図９に示すように、雄ネジ部１０２が雌ネジ部９１内に捩じ込まれていくに従って先行突起体１０４および雄ネジ部１０２がそれぞれ雌ネジ部９１の完全ネジ部に嵌合するため、雌ネジ部９１に対して平行な姿勢に起立する。この結果、雄ネジ１００は、雌ネジ９０に対して嵌合不良が生じることなく締め付けられる。
【００４４】
上記作動説明からも理解できるように、上記実施形態によれば、雄ネジ１００は、雌ネジ９０に対して先行突起体１０４が先行してネジ嵌合して１回転するまでの間は雄ネジ部１０２が雌ネジ部９１に嵌合することがないとともに雄ネジ部１０２の先端部１０２ａのネジ山の高さが当初から正規の高さＲＴに形成されているため、雄ネジ１００が傾斜した状態で雄ネジ部１０２が雌ネジ部９１に螺合し始めることが防止される。また、本発明に係る雄ネジ１００は、雄ネジ部１０２における先行突起体１０４の反対側の最初（最前列）のネジ山が正規の高さＲＴよりも低く形成されているため、雄ネジ部１０２が雌ネジ部９１に螺合してから１回転する間において雌ネジ部９１のネジ山と互いに異なる２点で接触し合うことが防止される。これらの結果、本発明に係る雄ネジ１００においては、雌ネジ９０に対する円滑で正確な捩じ込みを確保することができる。
【００４５】
さらに、本発明の実施にあたっては、上記実施形態に限定されるものではなく、本発明の目的を逸脱しない限りにおいて種々の変更が可能である。
【００４６】
例えば、上記実施形態においては、雄ネジ１００は、軸体１０１における先行突起体１０４の前方に張り出した状態で案内部１０５を有して構成した。しかし、雄ネジ１００は、案内部１０５を省略して構成することもできる。
【００４７】
また、上記実施形態においては、案内部１０５は、軸体１０１の外径と同じ外径、すなわち、雄ネジ部１０２の谷径と同じ外径に形成した。しかし、案内部１０５は、軸体１０１の外径（雄ネジ部１０２の谷径）以上の外径に形成することができる。例えば、雄ネジ１００は、図１０に示すように、案内部１０５の先端部に軸体１０１の外径よりも太くかつ雌ネジ部９１の内径よりも細い拡径案内部１０５ａを設けて構成することができる。
【００４８】
これによれば、雄ネジ１００は、雄ネジ部１０２を雌ネジ部９１に対して小さく形成して雄ネジ部１０２を雌ネジ部９１内に入り易く形成した場合であっても拡径案内部１０５ａが雌ネジ部９１に接触して案内されることで雄ネジ１００を傾斜させることなく円滑に雌ネジ部９１に嵌合させることができる。また、雄ネジ１００は、雄ネジ１００を使用する製品の使用上雌ネジ９０との間のネジのはめあい公差が緩い、すなわち、はめあい公差が大きい場合であっても、同様に雄ネジ１００を傾斜させることなく円滑に雌ネジ部９１に嵌合させることができる。
【００４９】
なお、この拡径案内部１０５ａの軸線方向における長さは、特に限定されないが、雄ネジ部１０２の１ピッチ以上かつ５ピッチ以内の長さに形成されているとよい。また、拡径案内部１０５ａにおける先端部は、外縁部が円弧状に丸みを帯びて形成されているが、これに代えて外縁部が直角に形成されていてもよいし、拡径案内部１０５ａの外径が先端部に向かって縮小する尖った形状に形成されていてもよい。
【００５０】
また、上記実施形態においては、先行突起体１０４は、雄ネジ部１０２の先端部１０２ａに対して真横の位置に形成した。しかし、先行突起体１０４は、軸体１０１の外表面上における前記雄ネジ部１０２の捩じ込み方向前側への延長線上であって雄ネジ部１０２の先端部１０２ａに隣接する位置に形成されていればよい。したがって、先行突起体１０４は、雄ネジ部１０２の先端部１０２ａの真横の位置に対して捩じ込み方向の前側または後側に設けることができる。これらの場合、先行突起体１０４は、雄ネジ部１０２の先端部１０２ａの真横の位置に対して軸体１０１の周長の１／８以下の長さだけ捩じ込み方向の前側または後側に設けることができる。ここで、図１１は、先行突起体１０４を雄ネジ部１０２の先端部１０２ａの真横の位置に対して捩じ込み方向の前側にずらして設けた雄ネジ１００を示している。
【００５１】
また、上記実施形態においては、先行突起体１０４は、頂上部が曲面状に延びる側面視で略台形状であって、より詳しくは、断面形状が雄ネジ部１０２の完全ネジ部と同じ断面形状のネジ山状に形成した。しかし、先行突起体１０４は、頂上部をこの頂上部に隣接する雄ネジ部１０２に沿って平面状または線状に延びて形成することができるほか、同頂上部を尖らして形成して先行突起体１０４全体として三角錐状に形成することもできる。ここで、図１２は、先行突起体１０４における頂上部分を線状に形成した雄ネジ１００を示している。また、図１３は、先行突起体１０４における頂上部分を点状に尖って形成した雄ネジ１００を示している。また、図１４は、先行突起体１０４における頂上部分を点状に尖って形成した後、同頂上部が後方に向かって線状に傾斜するように形成した雄ネジ１００を示している。
【００５２】
また、上記実施形態においては、雄ネジ部１０２および先行突起体１０４は、各先端部１０２ａ，１０４ａを面取りして平面状の傾斜面で構成した。これにより、雄ネジ１００は、雌ネジ部９１に嵌合し易くすることができる。この場合、雄ネジ部１０２および先行突起体１０４は、各先端部１０２ａ，１０４ａを曲面状に面取りした傾斜面で構成することできる。しかし、雄ネジ部１０２および先行突起体１０４は、各先端部１０２ａ，１０４ａの各角部の面取りを省略して直角に形成することもできる。また、先行突起体１０４は、後端部１０４ｂも同様に、曲面状に形成してもよいし、省略して直角に形成して構成してもよい。
【００５３】
また、上記実施形態においては、低高ネジ部１０３は、最低点ＵＰの両側にそれぞれ同じ傾斜面からなる徐変部１０３ａ，１０３ｂを形成して構成した。しかし、低高ネジ部１０３は、最低点ＵＰの両側に互いに異なる傾斜角または長さの傾斜面からなる徐変部１０３ａ，１０３ｂを形成して構成することもできる。また、低高ネジ部１０３は、徐変部１０３ａ，１０３ｂを省略して構成することもできる。この場合、低高ネジ部１０３は、前記徐変部１０３ａ，１０３ｂを形成した部分の高さを最低点ＵＰと同じ一定の高さに形成して構成することができる。
【００５４】
また、上記実施形態においては、雄ネジ１００を金属材料で構成した。しかし、雄ネジ１００は、金属以外の材料、例えば、樹脂材や木材で構成することもできる。したがって、雄ネジ１００は、自走式車両におけるエンジン部品以外の部品、例えば、机や椅子などの家具やコンクリートブロックなどに埋設して用いることができる。また、雌ネジ９０は、不完全ネジ部９２を省略した雌ネジ部９１で構成することもできる。
【符号の説明】
【００５５】
ＲＴ…正規のネジ山、ＵＰ…最低点、ｈ…低高ネジ部の最低点における高さ、
９０…雌ネジ、９１…雌ネジ部、９２…不完全ネジ部、
１００…雄ネジ、１０１…軸体、１０２…雄ネジ部、１０２ａ…先端部、１０３…低高ネジ部、１０３ａ，１０３ｂ…徐変部、１０４…先行突起体、１０４ａ…先端部、１０４ｂ…後端部、１０５…案内部、１０６…首下部、１０７…頭部。
【図１】
2018096536.tif 000003
【図２】
2018096536.tif 000004
【図３】
2018096536.tif 000005
【図４】
2018096536.tif 000006
【図５】
2018096536.tif 000007
【図６】
2018096536.tif 000008
【図７】
2018096536.tif 000009
【図８】
2018096536.tif 000010
【図９】
2018096536.tif 000011
【図１０】
2018096536.tif 000012
【図１１】
2018096536.tif 000013
【図１２】
2018096536.tif 000014
【図１３】
2018096536.tif 000015
【図１４】
2018096536.tif 000016